(57)【特許請求の範囲】
【請求項１】
屋根Ｒ1，Ｒ2の谷部に配設された谷樋Ｕの上部に設置されるカバーにおいて、孔１・・・を適宜間隔で穿設した二つのアルミニウム合金製あるいは硬質樹脂製の板材２，３の一端縁側を山型にヒンジ機能を持たせた連結部４で連結するとともに、それぞれの他端縁に略コ状の軒先嵌合枠５，５をヒンジ機能を持たせた連結部６により連結し、かつ、両板材２，３の山型内側に弾性金具７を装着したことを特徴とする谷樋カバー。
【請求項２】
屋根Ｒ1，Ｒ2の谷部に配設された谷樋Ｕの上部に設置されるカバーにおいて、孔１・・・を適宜間隔で穿設した二つのアルミニウム合金製あるいは硬質樹脂製の板材２，３の一端縁側を山型にヒンジ機能を持たせた連結部４で連結するとともに、それぞれの他端縁に略コ状の軒先嵌合枠５，５を一体的に設け、かつ、両板材２，３の山型内側に弾性金具７を装着したことを特徴とする谷樋カバー。
【請求項３】
上記連結部４，６を構成する二部材の内のいずれかの部材の端部を、二部材の連結状態を保持させるビス９，９のネジ溝部８，８としたことを特徴とする請求項１又は請求項２記載の谷樋カバー。
【発明の詳細な説明】
【０００１】
【発明の属する技術分野】
谷形状屋根部の交差線（谷底部）に配設される谷樋において、該谷樋の排水機能を確保するために設ける谷樋カバーに関する。
【０００２】
【従来の技術】
屋根に積もった雪を建屋の周囲に自然落下させることは、建屋に出入する人にとって、いつ屋根から雪が落ちるかわからないといった危惧があるばかりでなく、場所によっては落下した雪が隣地境界線を越えて、近隣に迷惑を与えるという問題がある。
【０００３】
これらの問題に対処するために、積雪地帯でも比較的積雪量が少ない地域では、屋根に積もった雪を屋内暖房の余熱や地下水の熱によって、屋根の上で融雪したり、或いは、屋根の形状を山型でなく谷型として屋根の谷面の交差線に谷樋を配設することで融雪水を建屋内に設置した排水ダクトを通して、地下に流す手段が採用されている。
しかしながら、上記の後者の手段においては、積雪や融雪水の凍結、ゴミ等により、谷樋の排水機能が阻害され、家屋に重大な漏水被害をもたらすことがあり、このために谷樋に排水機能を確保するためのカバーを設けている。
【０００４】
この谷樋カバーには、谷樋上に格子状のスノコあるいは孔のあいたパネル等を単に差渡して載置しただけのものがあるが、このようなものは、風や積もった雪によってはずれることがある。そこで、実公昭６３−４７２２２号公報（図１４参照）にみられるように、カバー本体１１を合成樹脂等の材料とし、谷樋の巾寸法に多少の大小があっても、谷樋カバーの両端を施工時に両手で湾曲して取付枠１２に取り付けるようにしたものがある。
しかし、カバー本体は、積雪荷重に対する材料強度も必要であることから、カバー本体を撓めることができる湾曲可能な材料の利用には限度があり、谷樋の巾寸法に対応した種々の幅のカバー本体を準備する必要が生ずる。
【０００５】
【発明が解決しようとする課題】
本発明は、上記従来技術にかかる谷樋カバーの不具合を解消させることを課題として発明されたものであり、
第１の課題は、軒先への嵌合作業を容易にするとともに、積雪荷重による屋根部の破損を防止することができる谷樋カバーを提供することにある。
【０００６】
第２の課題は、屋根部への取付作業を容易にするとともに、広い範囲の谷樋巾寸法に対応できる谷樋カバーを提供することにある。また、更に、上記課題に加えて、谷樋カバーの流通面・施工面で取扱性の向上をはかった谷樋カバーを提供することにある。
【０００７】
【課題を解決するための手段】
上記課題を達成するために、本発明は、以下の手段を講じた。即ち、
請求項１記載の谷樋カバーは、屋根Ｒ1，Ｒ2の谷部に配設された谷樋Ｕの上部に設置されるカバーにおいて、孔１・・・を適宜間隔で穿設した二つのアルミニウム合金製あるいは硬質樹脂製の板材２，３の一端縁側を山型にヒンジ機能を持たせた連結部４で連結するとともに、それぞれの他端縁に略コ状の軒先嵌合枠５，５をヒンジ機能を持たせた連結部６により連結し、かつ、両板材２，３の山型内側に弾性金具７を装着したことを特徴とする。
【０００８】
請求項２記載の谷樋カバーは、屋根Ｒ1，Ｒ2の谷部に配設された谷樋Ｕの上部に設置されるカバーにおいて、孔１・・・を適宜間隔で穿設した二つのアルミニウム合金製あるいは硬質樹脂製の板材２，３の一端縁側を山型にヒンジ機能を持たせた連結部４で連結するとともに、それぞれの他端縁に略コ状の軒先嵌合枠５，５を一体的に設け、かつ、両板材２，３の山型内側に弾性金具７を装着したことを特徴とする。
【０００９】
請求項３記載の谷樋カバーは、上記いずれかの手段において、上記連結部４，６を構成する二部材の内のいずれかの部材の端部を、二部材の連結状態を保持させるビス９，９のネジ溝部８，８としたことを特徴とする。
【００１０】
【発明の実施の態様】
以下、本発明の実施例を、図面を参照して説明する。
【実施例１】
実施例１は、図１〜９に示されている。実施例１の谷樋カバーＣは、図１に示すように、全体として長尺の板材からなる山形で両端部に屋根軒先部への装着部を有するものであり、使用態様としては、図７に示すように、屋根Ｒ1，Ｒ2の谷部に配設された谷樋Ｕの上部に設置されるものである。上記長尺の板材は、円形の多数の孔１・・・を適宜間隔で穿設した二枚のアルミニウム合金製の押出成形された平板状の板材２，３と、板材２，３のそれぞれの一端縁側を山型にヒンジ機能を持たせた連結部４で連結されている。
【００１１】
（板材２）
一方の板材２は、図３に示すように横長の略長方形状で、図３における上・下端縁が連結部４，６となる。また、板材２の上端縁の全幅には、正面視円筒状で且つ長さ方向に沿ってその一部が切りかかれた湾曲受部２ａが形成され、下端縁は両端部が一定長さに亘って切り欠かれた状態で、断面円形の嵌合軸部２ｂが形成されている。上記湾曲受部２ａの両端部にはネジ溝が形成され、ビス９，９のネジ溝部８，８を構成している。
また、板材２の下面にはその長さ方向に沿って鈎状のバネ受け２ｃが板材２と一体に形成されている。
【００１２】
（板材３）
また、他方の板材３は、図４に示すように、横長の略長方形状で、図４における上・下端縁が連結部４，６となる。また、板材３の上・下端縁には、両端部が一定長さに亘って切り欠かれた状態で、断面円形の嵌合軸部３ｂが形成されている。嵌合軸部３ｂは、正面視円柱状で、湾曲受部２ａ又は後述の軒先嵌合枠５に形成された湾曲受部５ａの内径と略同一の外径を有する。
更に、板材３の下面にはその全長に亘って鈎状のバネ受け３ｃが板材３と一体に形成されている。
【００１３】
（連結部４）
連結部４は、ヒンジ機能を持たせるために、板材２の湾曲受部２ａに、板材３の嵌合軸部３ａが湾曲受部２ａの切欠き部の範囲内で回動可能に嵌合された状態で形成されている。また、嵌合された状態において、ネジ溝部８，８に座金を介してビス９，９が取り付けられる。
【００１４】
（軒先嵌合枠５）
軒先嵌合枠５は、図５に示すように、板材２，３と同一長さで、アルミニウム合金製で押出成形されたもので、正面視略コ字形に形成され、その縦板部に円形の多数の孔１・・・が適宜間隔で穿設され、更に、その肩部に沿って正面視略円形の湾曲受部５ａが形成されている。また、上記湾曲受部５ａの両端部にはネジ溝が形成され（図外）、ネジ溝部を構成している。この軒先嵌合枠５の屋根Ｒ1，Ｒ2の軒先当接面には、合成樹脂枠からなる緩衝枠１０が積層されている。
そして、この軒先嵌合枠５は、谷樋カバーＣにおいて、板材２，３の正面視の左右にそれぞれ連結される。
【００１５】
（連結部６）
即ち、板材２，３の縁部の嵌合軸部２ｂと嵌合軸部３ｂが、軒先嵌合枠５の湾曲受部５ａに嵌合され、ヒンジ機能を持って連結部６とされ、嵌合された状態において、座金を介してネジ溝部にビス９，９が取り付けられる。
【００１６】
（弾性金具７）
また、板材２，３が連結部４により連結された状態で、両板材２，３の底面のバネ受け２ｃ，３ｃ間には、倒立Ω形の弾性金具７が弾発状態で装着されており、板材２，３を開き勝手としている。なお、この弾性金具７の形状は、上記倒立Ω形に限定されることなく、弓形、円弧形、くの字形など種々の形状が考えられる。
【００１７】
（屋根Ｒ1，Ｒ2間に装着）
谷樋カバーＣは、板材２，３を、図１に示す状態に連結したあと、図９に示すように、ビス９，９・・をネジ溝部に座金等を介してネジ止めして一体物とし、この状態を製品とする。
谷樋カバーＣを現場において屋根Ｒ1，Ｒ2の軒先間に装着するには、図６に示すように、谷樋カバーＣの一方の軒先嵌合枠５を屋根Ｒ1の軒先に嵌合させ、次いで、もう一方の軒先嵌合枠５を、図７に示すように、他方の屋根Ｒ2の軒先に嵌合させればよい。この軒先への嵌合後において、ビス９，９はネジ溝部８，８にネジ止めしたままでも良いが、取り外してもよい。
図７に示す状態は、谷樋カバーＣを屋根Ｒ1，Ｒ2の軒先間に装着した完了状態を示しているが、図８に示すように、軒先嵌合枠５，５が回転して、軒先部に添った姿勢としてもよい。
【００１８】
（実施例１の効果）
実施例１によれば、谷樋カバーＣの軒先への嵌合作業を容易にするとともに、積雪荷重による屋根部の破損を防止することができる。また、谷樋カバーＣをアルミニウム合金等の金属製で構成することで、屋根上の雪を、屋内暖房の余熱や地下水の熱を用いて、効果的に融雪できる。
更に、屋根Ｒ1，Ｒ2の軒先間隔の大小に容易に対応させることができ、しかも、谷樋カバーＣの施工時、容易に谷樋カバーＣを開閉（幅の調整）ができるから、作業が容易になり、しかも、軒先嵌合枠５に緩衝枠１０を積層したから屋根Ｒ1，Ｒ2の軒先を傷めないという効果もある。
【００１９】
また、実施例１の連結部４，６のネジ溝部８，８には、ビス９，９がネジ止めされているから、板材２の湾曲受部２ａから板材３の嵌合軸部３ａが抜け出ることはなく、また、板材２，３の嵌合軸部２ｂ，３ｂから、軒先嵌合枠５の湾曲受部５ａが分離することもない。したがって、谷樋カバーＣは運搬中に分解することもなく、破損や紛失もなく、施工時の取り扱いも容易である。
【００２０】
【実施例２】
実施例２は、図１０に示されている。この実施例２は、板材２，３と軒先嵌合枠５とを一体物として押出成形したもので、実施例１と比べて連結部６が存在しない点のみが相違する。この実施例２によれば、板材２，３に対する軒先嵌合枠５の回動がないから、屋根の軒先部の傾斜への順応がないものの、実施例１と同様の効果が期待できる外、取付作業は容易であり、広い範囲の谷樋巾寸法に対応させることができる。
【００２１】
【実施例３】
実施例３は、図１１，１２に示されている。実施例１と相違する点は、板材２，３のうち、板材２の幅（図１１では、その長さ）を、板材３より長く形成したものである。作用効果は、実施例１と基本的には同じであるが、実施例３では、積雪状態で板材３側に多く荷重が架かることになることから、屋根Ｒ1，Ｒ2側の耐荷重応力との関係で設定すればよい。
【００２２】
【実施例４】
更に、図１３に示すように、連結部４を構成する嵌合軸部２ｂ及び嵌合軸部３ａの少なくとも両端部の断面形状を、中実（実施例１〜３）ではなく、略Ｕ字形（嵌合軸部３ａ内に空間部を形成）とし、内周にネジ溝部８を設けてビス９のネジ止めを可能としたものである。この場合、湾曲受部２ａ，５ａ側には、ネジ溝部８を設ける必要はない。なお、図１３の記載及び上記説明は、板材２の湾曲受部２ａと板材３の嵌合軸部３ａとからなる連結部４の場合を示しているが、連結部６についても同様である。
【００２３】
この実施例４によれば、上記実施例１〜３の谷樋カバーＣが有する効果と同様のものが期待できるばかりでなく、嵌合軸部２ｂ，３ａ側にネジ溝部８を設けてビス止めしたことにより、谷樋カバーＣの切り詰めは、切断のみで組替えの対応が可能となる。換言すれば、板材３の上・下端縁には、実施例１〜３のような両端部が一定長さに亘って切り欠かれた状態にする必要はない。
また、嵌合軸部２ｂ，３ａの端部切り口を湾曲受部２ａ，５ａの端部切り口より、若干突出させて形成した上、ネジ溝部８を設けてビス止めすれば、座金を省略することも可能である。
【００２４】
（他の実施例）
上記各実施例においては、板材２，３の素材をアルミニウム合金製としたが、これに代えて、硬質樹脂製としても同様の効果が得られる。また、連結部４，６を板材２，３の全長に亘って形成したが、構成を簡略化するために連結部は部分的に設けることも可能である。
更に、上記実施例においては、ネジ溝部８は、予めネジ溝を形成しておくものとして説明したが、本発明は、必ずしもこれに限定されるものではなく、ネジ溝部８には、予めネジ溝を設けず、ビスのねじ込みによりネジ溝が形成されるものも含むものである。したがって、本発明の請求項３の構成要件であるビスも、種々のタイプのビス、例えば、タッピングビスなどねじ込みタイプのビスも含むものである。また、ビスに限らず、抜け止め防止機能があれば、他の止め具でもよい。
【００２５】
更に、板材２，３は平坦な板体の他、剛性を向上させるために、全体として湾曲や折曲させてもよく、波板形状としてもよい。
更に、孔１は、円形形状の他、方形状、三角形状等であってもよい。
更に、連結部４は、軒先嵌合枠５，５間に複数個所設けてもよい（実施例１〜４は、連結部４は一箇所のみ）。しかし、この場合には、連結部４，４間に別途板材が必要となる。更に、弾性金具７の代替手段或いは付加的手段として、湾曲受部２ａや嵌合軸部２ｂの素材が持つ弾性（金属弾性又は樹脂弾性）を活用してもよい。
【００２６】
更に、軒先嵌合枠５については、軒先に庇が付設されている場合には、庇にも適用できることは言うまでもない。
なお、上記特許請求の範囲の項には実施例との対応関係を明瞭にするために図面符号を付したが、本発明をこれに限定されるものではない。
【００２７】
【発明の効果】
本発明によれば、上記構成により、下記の効果を奏する。
１．請求項１記載の発明によれば、屋根の谷部に配設された谷樋の上部に設置されるカバーにおいて、孔を適宜間隔で穿設した二つのアルミニウム合金製あるいは硬質樹脂製の板材の一端縁側を山型にヒンジ機能を持たせた連結部で連結するとともに、それぞれの他端縁に略コ状の軒先嵌合枠をヒンジ機能を持たせた連結部により連結し、かつ、両板材の山型内側に弾性金具を装着したことで、谷樋カバーを屋根の軒先の間隔の大小に容易に対応させて幅の調整ができるから、軒先への嵌合作業が容易となる。
また、谷樋カバーをアルミニウム合金等の金属製で構成すれば、屋根上の雪を、屋内暖房の余熱や地下水の熱を用いて効果的に融雪でき、積雪荷重による屋根部の破損を防止することができる。また、軒先嵌合枠に緩衝枠を積層すれば、屋根の軒先を傷めないという効果もある。
【００２８】
２．請求項２記載の発明によれば、屋根の谷部に配設された谷樋の上部に設置されるカバーにおいて、孔を適宜間隔で穿設した二つのアルミニウム合金製あるいは硬質樹脂製の板材の一端縁側を山型にヒンジ機能を持たせた連結部で連結するとともに、それぞれの他端縁に略コ状の軒先嵌合枠を一体的に設け、かつ、両板材の山型内側に弾性金具を装着したことで、板材に対する軒先嵌合枠の回動がないから、屋根の軒先部への姿勢順応がないものの、その分取付作業は容易であり、広い範囲の谷樋巾寸法に対応させることができる。
【００２９】
３．請求項３記載の発明によれば、請求項１又は請求項２記載の発明の効果に加えて、連結部を構成する二部材の内のいずれかの部材の端部を、二部材の連結状態を保持させるビスのネジ溝部としたことで、谷樋カバーの一体性が損なわれることがない。換言すれば、谷樋カバーＣの輸送中に分解することもなく、破損や紛失もなく、施工時の取り扱いも容易である。
【図面の簡単な説明】
【図１】本発明に係る実施例１の要部斜視図。
【図２】同実施例１の要部正面図。
【図３】同実施例１の一方の板材の平面図。
【図４】同実施例１の他方の板材の平面図。
【図５】同実施例１の軒先嵌合部材の側面図。
【図６】同実施例１の屋根装着（第１段階）の説明図。
【図７】同実施例１の屋根装着（第２段階）の説明図。
【図８】同実施例１の屋根装着（最終段階）の説明図。
【図９】同実施例１の正面図。
【図１０】本発明に係る実施例２の説明図。
【図１１】本発明に係る実施例３の説明図。
【図１２】同実施例３の正面図。
【図１３】本発明に係る実施例４の要部説明図。
【図１４】従来技術にかかる谷樋カバーの正面図。
【符号の説明】
Ｒ1，Ｒ2・・・屋根
Ｕ・・・谷樋
Ｃ・・・谷樋カバー
１・・・孔
２・・・板材
２ａ・・・湾曲受部
２ｂ・・・嵌合軸部
２ｃ・・・バネ受け
３・・・板材
３ａ，３ｂ・・・嵌合軸部
３ｃ・・・バネ受け
４・・・（板材２，３間の）連結部
５・・・軒先嵌合枠
５ａ・・・湾曲受部
６・・・（板材と軒先嵌合枠との）連結部
７・・・弾性金具
８・・・ネジ溝部
９・・・ビス
１０・・緩衝枠
１１・・カバー本体（従来例）
１２・・取付枠（従来例）
【図１】
0003968550.tif 000002
【図２】
0003968550.tif 000003
【図３】
0003968550.tif 000004
【図４】
0003968550.tif 000005
【図５】
0003968550.tif 000006
【図６】
0003968550.tif 000007
【図７】
0003968550.tif 000008
【図８】
0003968550.tif 000009
【図９】
0003968550.tif 000010
【図１０】
0003968550.tif 000011
【図１１】
0003968550.tif 000012
【図１２】
0003968550.tif 000013
【図１３】
0003968550.tif 000014
【図１４】
0003968550.tif 000015